(57)【要約】【課題】着用状態の手直しが不要で、簡単な装着操作で着用者の股間部にフィットし、高い漏れ防止効果を奏し得る吸収性物品を提供すること。【解決手段】腹側部１Ｆにおける吸収性本体５の両側縁部５Ｓに、一対の腹側フラップ１０が固定されている。吸収性コア４０は、横方向Ｙの長さが相対的に長い幅広部４０Ｗと、同長さが相対的に短い幅狭部４０Ｎと、両者間に位置する中間幅部４０Ｍとを縦方向Ｘに有し、中間幅部４０Ｍの両側縁部４０ＭＳが平面視において斜行している。腹側フラップ固定点１１αは、仮想直線ＶＬ上又はその近傍で且つ仮想直線ＶＬよりも縦方向Ｘの内方に位置している。中間幅部４０Ｍの側縁部４０ＭＳは、仮想直線ＶＬの近傍に位置し、且つ仮想直線ＶＬに沿って斜行している。レッグギャザー形成用弾性部材５３の腹側縦方向端５３Ｆは、仮想直線ＶＬの近傍に位置している。【選択図】図６
2017051280.tif 000002
【特許請求の範囲】
【請求項１】
着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有し、
吸収性コアを含んで構成され、平面視において縦方向に長い長方形形状の吸収性本体を具備し、前記背側部における該吸収性本体の縦方向に沿う両側縁部に一対の止着用部材が固定され、且つ前記腹側部における該吸収性本体の縦方向に沿う両側縁部に、一対の腹側フラップが該両側縁部から横方向外方に延出するように固定された吸収性物品であって、
前記吸収性本体は、前記腹側部から前記背側部にわたって、前記吸収性コアの縦方向に沿う両側縁それぞれから横方向外方に延出する一対のサイドフラップ部を有し、一対の該サイドフラップ部それぞれに、レッグギャザー形成用弾性部材が、前記股下部を通って縦方向に延びるように伸長状態で配されており、
前記吸収性コアは、横方向長さが相対的に長い幅広部と、横方向長さが相対的に短い幅狭部と、該幅広部と該幅狭部との間に位置する中間幅部とを縦方向に有し、該幅広部の少なくとも一部が前記腹側部に位置し、該幅狭部の少なくとも一部が前記股下部に位置しており、該中間幅部の両側縁部が平面視において斜行しており、
一対の前記腹側フラップは、それぞれ、前記吸収性本体の側縁部からの延出部における縦方向に沿う側縁の一部が横方向外方に突出してなる、凸部を有し、
前記吸収性本体を平面状に拡げて展開状態とした場合において、
前記腹側フラップの前記吸収性本体との固定部における縦方向最内方且つ横方向最外方に位置する部分を、腹側フラップ固定点とし、前記吸収性本体の中心点及び前記凸部の中心点を通る仮想直線を引いた場合に、下記（１）〜（３）の全てを満たす吸収性物品。
（１）前記腹側フラップ固定点は、前記仮想直線上、又は前記仮想直線の近傍で且つ該仮想直線よりも縦方向内方に位置している。
（２）前記中間幅部の前記側縁部は、前記仮想直線の近傍に位置し、且つ該仮想直線に沿って斜行している。
（３）前記レッグギャザー形成用弾性部材の腹側縦方向端は、前記仮想直線の近傍に位置している。
【請求項２】
前記腹側部の非肌対向面に、前記止着用部材が止着される被止着領域が、平面視において前記吸収性コアの前記幅広部と重複するように配されており、
前記幅広部における前記被止着領域との重複部位の横方向長さは、該被止着領域の横方向長さの８０％よりも長い請求項１に記載の吸収性物品。
【請求項３】
前記吸収性コアの前記幅狭部の横方向長さは、前記吸収性本体の横方向長さの２５％以上５０％以下である請求項１又は２に記載の吸収性物品。
【請求項４】
前記腹側フラップの前記凸部の横方向長さは１０ｍｍ以上２０ｍｍ以下である請求項１〜３の何れか一項に記載の吸収性物品。
【請求項５】
前記吸収性コアはパルプを含んで構成され、該吸収性コアの坪量が２５０ｇ／ｍ2以上である請求項１〜４の何れか一項に記載の吸収性物品。
【発明の詳細な説明】
【技術分野】
【０００１】
本発明は、使い捨ておむつ等の吸収性物品に関し、特に止着用部材を備えた展開型吸収性物品に関する。
【背景技術】
【０００２】
吸収性物品の典型的な形態としては、着用者の腹側に配される腹側部及び背側に配される背側部並びにそれらの間に位置する股下部を有し、液透過性の表面シート、液不透過性の裏面シート及び両シート間に配置された吸収性コアを具備するものが挙げられる。また、吸収性物品の一種である使い捨ておむつとして、吸収性コアを含む吸収性本体の背側部における両側縁部に、横方向に伸縮する伸縮性のサイドパネルが、該側縁部から横方向外方に延出するように取り付けられ、さらに各サイドパネルの延出方向先端部に、おむつを装着する際に利用する止着用のファスニングテープが取り付けられてなる展開型使い捨ておむつが知られている（例えば特許文献１及び２）。
【０００３】
特許文献１及び２記載の展開型使い捨ておむつにおいては、吸収性本体の腹側部における両側縁部に、パネル材からなる一対の腹側フラップが、該側縁部から横方向外方に延出するように取り付けられている。この腹側フラップは、おむつを装着する際に利用される場合がある。即ち、腹側部の両側縁部に一対の腹側フラップが取り付けられた展開型使い捨ておむつを装着する際には、典型的には、一方の手で一対の腹側フラップのうちの一方を把持し、また、他方の手でおむつの背側部側を把持しつつ、着用者の股間部より下方位置におむつを配置し、その状態から、把持している部分を股間部側に引き上げ、着用者の腰周りや股間部の各部に、その引き上げたおむつの対応部位をあてがい、背側部のファスニングテープを着用者の腹側に引き延ばして腹側部の外表面上の被止着領域に止着する。
【先行技術文献】
【特許文献】
【０００４】
【特許文献１】特開２０１４−９０９０２号公報
【特許文献２】特開２０１４−１４４０５０号公報
【発明の概要】
【発明が解決しようとする課題】
【０００５】
前述した通り、展開型使い捨ておむつの腹側に取り付けられた腹側フラップは、おむつを装着する際の把持部として機能し、非常に便利なものではあるが、腹側フラップを把持する部位等、その使用方法によっては、おむつに皺が生じたり、おむつが着用者の身体に沿わずに隙間が生じたり、吸収体がよれたりするおそれがある。そして、おむつがそうした好ましくない状態で身体に装着された場合には、おむつが身体にフィットしていないため、尿等の排泄液が外部に漏れ出すおそれがある。
【０００６】
従って本発明は、着用状態の手直しが不要で、簡単な装着操作で着用者の股間部にフィットし、高い漏れ防止効果を奏し得る吸収性物品を提供することに関する。
【課題を解決するための手段】
【０００７】
本発明は、着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有し、吸収性コアを含んで構成され、平面視において縦方向に長い長方形形状の吸収性本体を具備し、前記背側部における該吸収性本体の縦方向に沿う両側縁部に一対の止着用部材が固定され、且つ前記腹側部における該吸収性本体の縦方向に沿う両側縁部に、一対の腹側フラップが該両側縁部から横方向外方に延出するように固定された吸収性物品であって、前記吸収性本体は、前記腹側部から前記背側部にわたって、前記吸収性コアの縦方向に沿う両側縁それぞれから横方向外方に延出する一対のサイドフラップ部を有し、一対の該サイドフラップ部それぞれに、レッグギャザー形成用弾性部材が、前記股下部を通って縦方向に延びるように伸長状態で配されており、前記吸収性コアは、横方向長さが相対的に長い幅広部と、横方向長さが相対的に短い幅狭部と、該幅広部と該幅狭部との間に位置する中間幅部とを縦方向に有し、該幅広部の少なくとも一部が前記腹側部に位置し、該幅狭部の少なくとも一部が前記股下部に位置しており、該中間幅部の両側縁部が平面視において斜行しており、一対の前記腹側フラップは、それぞれ、前記吸収性本体の側縁部からの延出部における縦方向に沿う側縁の一部が横方向外方に突出してなる、凸部を有し、前記吸収性本体を平面状に拡げて展開状態とした場合において、前記腹側フラップの前記吸収性本体との固定部における縦方向最内方且つ横方向最外方に位置する部分を、腹側フラップ固定点とし、前記吸収性本体の中心点及び前記凸部の中心点を通る仮想直線を引いた場合に、下記（１）〜（３）の全てを満たす吸収性物品を提供するものである。
（１）前記腹側フラップ固定点は、前記仮想直線上、又は前記仮想直線の近傍で且つ該仮想直線よりも縦方向内方に位置している。
（２）前記中間幅部の前記側縁部は、前記仮想直線の近傍に位置し、且つ該仮想直線に沿って斜行している。
（３）前記レッグギャザー形成用弾性部材の腹側縦方向端は、前記仮想直線の近傍に位置している。
【発明の効果】
【０００８】
本発明によれば、着用状態の手直しが不要で、簡単な装着操作で着用者の股間部にフィットし、高い漏れ防止効果を奏し得る吸収性物品が提供される。
【図面の簡単な説明】
【０００９】
【図１】図１は、本発明の吸収性物品の一実施形態としての使い捨ておむつを、吸収性本体の各部の弾性部材を伸長させて平面状に拡げた展開状態を示す表面シート側、即ち肌対向面側の一部破断平面図である。
【図２】図２は、図１のＩ−Ｉ線（腹側部の腹側フラップの配置部位）での模式的な横断面図である。
【図３】図３は、図１のＩＩ−ＩＩ線（股下部）での模式的な横断面図である。
【図４】図４は、図１のＩＩＩ−ＩＩＩ線断面（背側部の止着用部材の配置部位）での模式的な横断面図である。
【図５】図５は、図１に示すおむつにおける吸収性コアの模式的な平面図である。
【図６】図６は、図１の一部を拡大した図であり、図１に示すおむつの腹側部及びその近傍の模式的な平面図である。
【図７】図７は、本発明に係る「腹側フラップの吸収性本体との固定部」の説明図である。
【図８】図８は、本発明の範囲外のおむつにおける腹側フラップ及びその近傍を模式的に示す平面図であり、図８（ａ）は、腹側フラップを矢印で示す方向に引っ張る前の自然状態を示し、図８（ｂ）は、腹側フラップを矢印で示す方向に引っ張ったときの状態を示す。
【発明を実施するための形態】
【００１０】
以下、本発明の吸収性物品について、その好ましい一実施形態である使い捨ておむつに基づき図面を参照しながら説明する。本実施形態の使い捨ておむつ１は、図１に示すように、着用者の腹側から股間部を介して背側に延びる縦方向Ｘとこれに直交する横方向Ｙとを有すると共に、着用時に該股間部に配される股下部１Ｍと、股下部１Ｍよりも着用者の腹側に配される腹側部１Ｆと、股下部１Ｍよりも着用者の背側に配される背側部１Ｒとを縦方向Ｘに有する。股下部１Ｍは、着用時にペニス等の着用者の排泄部に対向配置される図示しない排泄部対向部を含んでいる。排泄部対向部は通常、おむつ１の縦方向Ｘの中央よりもやや腹側部１Ｆ寄りに偏倚した位置にある。腹側部１Ｆ、股下部１Ｍ及び背側部１Ｒは、おむつ１（吸収性本体５）を縦方向Ｘに略３等分するように区分したときの各領域に相当する。
【００１１】
おむつ１は、いわゆる展開型のパネルタイプの使い捨ておむつであり、液透過性の表面シート２、液不透過性ないし撥水性の裏面シート３及び両シート２，３間に介在配置された液保持性の吸収体４を備えた吸収性本体５と、背側部１Ｒにおける吸収性本体５の縦方向Ｘに沿う両側縁部５Ｓ，５Ｓに固定された一対の止着用部材８，８と、腹側部１Ｆにおける吸収性本体５の両側縁部に５Ｓ，５Ｓに固定された一対の腹側フラップ１０，１０とを具備している。おむつ１は、吸収性本体５を横方向Ｙに二分して縦方向Ｘに延びる縦中心線ＣＬｘを基準として、対称に形成されている。吸収性本体５は、図１に示す如き平面視において縦方向Ｘに長い長方形形状をなしている。止着用部材８及び腹側フラップ１０は、それぞれ、吸収性本体５の側縁部５Ｓから横方向Ｙの外方に延出するように、吸収性本体５に固定されている。
【００１２】
表面シート２及び裏面シート３は、それぞれ、吸収体４よりも大きな寸法を有し、吸収体４の周縁から外方に延出し、それらの延出部どうしは、接着剤、ヒートシール、超音波シール等の公知の接合手段によって互いに接合されている。表面シート２及び裏面シート３としては、それぞれ、この種の吸収性物品に従来用いられている各種のものを特に制限なく用いることができる。例えば、表面シート２としては各種の不織布や開孔フィルム等を用いることができ、裏面シート３としては樹脂フィルムや、樹脂フィルムと不織布等とのラミネート等を用いることができる。裏面シート３には、例えば、液不透過性のフィルムシート単独の形態と、該フィルムシートの非肌対向面、即ち外表面側に外装シートを積層配置した形態とがあり、該外装シートは例えば不織布である。
【００１３】
吸収体４は、液保持性の吸収性コア４０と、該吸収性コア４０の肌対向面を被覆する肌側コアラップシート４１と、該吸収性コア４０の非肌対向面を被覆する非肌側コアラップシート４２とを含んで構成されている。吸収性コア４０は、吸収性材料を含むコア形成材料が積繊されてなり、単層構造である。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア４０は、親水性繊維の積繊体、あるいは該積繊体に吸水性ポリマー粒子を担持させたものであり得る。コアラップシート４１，４２としては、例えば、紙、不織布等を用いることができる。
【００１４】
吸収性コア４０は、図１に示す如き平面視において、縦方向Ｘの中央部が内方に括れた砂時計状をなし、縦方向Ｘに長い形状をなしている。吸収性コア４０は、腹側部１Ｆに腹側縦方向端４０Ｆ、背側部１Ｒに背側縦方向端４０Ｒを有し、股下部１Ｍの縦方向Ｘの全長にわたっている。
【００１５】
図５には、吸収性コア４０が示されている。図１及び図５に示すように、吸収性コア４０は、横方向Ｙの長さが相対的に長い幅広部４０Ｗと、横方向Ｙの長さが相対的に短い幅狭部４０Ｎと、幅広部４０Ｗと幅狭部４０Ｎとの間に位置する中間幅部４０Ｍとを縦方向Ｘに有している。尚、これら各部を区別する要素である、「横方向Ｙの長さ」（即ち幅）は、幅が縦方向Ｘにおいて変化していて一定でない場合は、最大幅とする。図示の形態においては、幅広部４０Ｗは、その縦方向Ｘの全長にわたって幅が一定であるのに対し、幅狭部４０Ｎ及び中間幅部４０Ｍは、それぞれ、縦方向Ｘにおいて幅が変化しており、幅狭部４０Ｎの両側縁部４０ＮＳ，４０ＮＳ及び中間幅部４０Ｍの両側縁部４０ＭＳ，４０ＭＳは、それぞれ、図１及び図５に示す如き平面視において斜行している、即ち、縦方向Ｘ及び横方向Ｙの両方向に交差する方向に延びている。そして、幅広部４０Ｗの少なくとも一部が腹側部１Ｆに位置し、幅狭部４０Ｎの少なくとも一部が股下部１Ｍに位置している。中間幅部４０Ｍは、幅広部４０Ｗ及び幅狭部４０Ｎの一方に位置しているか、両方に跨って位置している。
【００１６】
図２〜図４に示すように、肌側コアラップシート４１は、吸収性コア４０の肌対向面と略同じ大きさを有しているのに対し、非肌側コアラップシート４２は、吸収性コア４０の非肌対向面よりも横方向Ｙの長さ（即ち幅）が大きい。その幅広の非肌側コアラップシート４２は、吸収性コア４０の非肌対向面の全域を被覆し、且つ吸収性コア４０の縦方向Ｘに沿う両側縁から横方向Ｙの外方に延出し、その延出部が、吸収性コア４０の肌対向面に対向配置された肌側コアラップシート４１上に巻き上げられ、肌側コアラップシート４１の縦方向Ｘに沿う両側縁部を被覆している。
【００１７】
尚、本明細書において、「肌対向面」は、吸収性物品又はその構成部材（例えば吸収性本体５）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。また本明細書において、「着用時」は、通常の適正な着用位置、即ち当該吸収性物品の正しい着用位置が維持された状態を意味し、吸収性物品が該着用位置からずれた状態にある場合は含まない。
【００１８】
図１〜図４に示すように、吸収性本体５の表面シート２側における縦方向Ｘに沿う左右両側には、それぞれサイドシート５１が配されている。サイドシート５１は、縦方向Ｘに沿う内側縁部と、該内側縁部よりも横方向Ｙの外方に位置して縦方向Ｘに沿う外側縁部とを有し、図１に示す如き平面視において、サイドシート５１の内側縁部は吸収体４と重なり、サイドシート５１の外側縁部は、吸収体４の縦方向Ｘに沿う側縁から横方向Ｙの外方に延出し、裏面シート３と接合されている。サイドシート５１の内側縁部には、糸状の立体ギャザー形成用弾性部材５２が縦方向Ｘに沿って伸長状態で固定されており、これにより、おむつ１の着用時には弾性部材５２の収縮により少なくとも股下部１Ｍに立体ギャザーが形成される。
【００１９】
図１に示すように、吸収性本体５は、腹側部１Ｆから背側部１Ｒにわたって、吸収体４（吸収性コア４０）の縦方向Ｘに沿う両側縁それぞれから横方向Ｙの外方に延出する一対のサイドフラップ部５０，５０を有している。図２〜図４に示すように、サイドフラップ部５０は、表面シート２、裏面シート３及びサイドシート５１それぞれにおける、吸収体４の縦方向Ｘに沿う側縁から横方向Ｙの外方に延出する部分によって形成されており、各シート２，３，５１は、接着剤、ヒートシール、超音波シール等の公知の接合手段によって相互に接合されている。吸収性本体５の縦方向Ｘに沿う両側縁部５Ｓ，５Ｓは、サイドフラップ部５０からなる。
【００２０】
図１及び図３に示すように、一対のサイドフラップ部５０，５０それぞれには、糸状のレッグギャザー形成用弾性部材５３が、股下部１Ｍを通って縦方向Ｘに延びるように伸長状態で配されている。股下部１Ｍにおけるサイドフラップ部５０は、おむつ１の着用時に着用者の脚周りに配されるいわゆるレッグ部として機能する部位であり、斯かる構成により該レッグ部には、おむつ１の着用時において弾性部材５３の収縮により一対のレッグギャザーが形成される。
【００２１】
一対の止着用部材８，８は、それぞれ、図１及び図４に示すように、吸収性本体５の側縁部５Ｓから横方向Ｙの外方に延出するように吸収性本体５に固定された伸縮性のサイドパネル６と、該サイドパネル６の延出方向の先端部６Ｓから横方向Ｙの外方に延出するようにサイドパネル６に固定されたファスニングテープ７とを含んで構成されている。止着用部材８（サイドパネル６，ファスニングテープ７）は、吸収性本体５とは別部材である。
【００２２】
サイドパネル６は、図１及び図４に示すように、平面視して四角形形状の２枚のパネル材６１，６１と、両パネル材６１，６１間に伸長状態で固定され且つ横方向Ｙに延びる複数本の弾性部材６２とを含んで構成されている。複数本の弾性部材６２は、サイドパネル６の横方向Ｙの中央部にて縦方向Ｘに所定間隔を置いて配置されている。サイドパネル６における弾性部材６２の配置部位（横方向Ｙの中央部）は、弾性部材６２の伸長方向である横方向Ｙに伸縮可能な伸縮部であり、斯かる伸縮部によりサイドパネル６は、横方向Ｙに伸縮性を有している。サイドパネル６の縦方向Ｘに沿う両側縁部のうち、縦中心線ＣＬｘから相対的に近い内側縁部側が、吸収性本体５の側縁部５Ｓ（サイドフラップ部５０）におけるサイドシート５１と裏面シート３との間に接着剤等の公知の接合手段によって固定されて、サイドパネル６の吸収性本体５との固定部が形成され、縦中心線ＣＬｘから相対的に遠い外側縁部即ち延出方向先端部６Ｓ側が、吸収性本体５の側縁部５Ｓよりも横方向Ｙの外方に位置している。
【００２３】
ファスニングテープ７は、図１及び図４に示すように、テープ基材７１と止着部７２とを含んで構成されている。テープ基材７１は、図１に示す如き平面視において長方形形状をなし、その長手方向（横方向Ｙ）の一端側が、サイドパネル６の先端部６Ｓの非肌対向面に接着剤等の公知の接合手段によって固定されて、ファスニングテープ７のサイドパネル６との固定部が形成されている。テープ基材７１におけるサイドパネル６の先端部６Ｓから横方向Ｙに延出している部分の内面（肌対向面）には、止着部７２が固定されている。止着部７２は、機械的面ファスナーのオス部材からなり、後述する、機械的面ファスナーのメス部材からなる被止着領域９に対して着脱自在に止着可能である。
【００２４】
サイドパネル６を構成するパネル材６１としては、例えば、エアースルー不織布、ヒートロール不織布、スパンレース不織布、スパンボンド不織布、メルトブローン不織布等の各種製法による不織布、織布、編布、紙、樹脂フィルム等、及びこれら２以上を積層一体化させてなるシート材等を用いることができる。また、ファスニングテープ７を構成するテープ基材７１としては、例えば、不織布や不織布と樹脂フィルムの積層体等を用いることができる。
【００２５】
図１に示すように、腹側部１Ｆにおける吸収性本体５の非肌対向面には、機械的面ファスナーのメス部材からなる被止着領域９が形成されている。被止着領域９は、吸収性本体５の非肌対向面を形成する裏面シート３の非肌対向面（外面）に、機械的面ファスナーのメス部材を接着剤等の公知の接合手段によって固定して形成されており、機械的面ファスナーのオス部材からなる、ファスニングテープ７の止着部７２を着脱自在に止着可能である。
【００２６】
一対の腹側フラップ１０，１０は、それぞれ、縦方向Ｘに沿う両側縁部のうち、縦中心線ＣＬｘから相対的に近い内側縁部側が、図１及び図２に示すように、吸収性本体５の側縁部５Ｓ（サイドフラップ部５０）におけるサイドシート５１と裏面シート３との間に接着剤等の公知の接合手段によって固定されて、腹側フラップ１０の吸収性本体５との固定部１１が形成され、縦中心線ＣＬｘから相対的に遠い外側縁部側が、吸収性本体５の側縁部５Ｓから横方向Ｙの外方に延出している。そして、一対の腹側フラップ１０，１０は、それぞれ、その側縁部５Ｓからの延出部における縦方向Ｘに沿う側縁の一部が横方向Ｙの外方に突出してなる、凸部１２を有している。凸部１２は、図１に示す如き平面視において等脚台形形状をなし、横方向Ｙの外方に向かうに従って横方向Ｙの長さ即ち幅が漸次減少している。腹側フラップ１０は、サイドパネル６を構成するパネル材６１として利用可能な不織布等のシート材からなるが、サイドパネル６と異なり伸縮性は付与されておらず、非伸縮性である。
【００２７】
図６には、おむつ１の要部である腹側部１Ｆが拡大して示されている。前述の如き構成を有するおむつ１の主たる特徴の１つとして、図６に示すように、吸収性本体５を平面状に拡げて展開状態とした場合において、吸収性本体５の中心点５ＣＰ及び凸部１２の中心点１２ＣＰを通る仮想直線ＶＬを引いた場合に、下記（１）〜（３）の全てを満たしている点が挙げられる。尚、以下では、縦中心線ＣＬｘを基準として一方の片側半分（図６では右半分）について説明するが、特に断らない限り、他方の片側半分にも一方の片側半分についての説明が適用される。
【００２８】
（１）腹側フラップ固定点１１αは、仮想直線ＶＬ上、又は仮想直線ＶＬの近傍で且つ仮想直線ＶＬよりも縦方向Ｘの内方（即ち横中心線ＣＬｙ寄り）に位置している。
（２）吸収性コア４０の中間幅部４０Ｍの側縁部４０ＭＳは、仮想直線ＶＬの近傍に位置し、且つ仮想直線ＶＬに沿って斜行している。
（３）レッグギャザー形成用弾性部材５３の腹側縦方向端５３Ｆは、仮想直線ＶＬの近傍に位置している。
【００２９】
ここでいう、「腹側フラップ固定点１１α」は、図６に示すように、腹側フラップ１０の吸収性本体５との固定部１１（接着剤等の接合手段を介して吸収性本体５と接合している部分）における、縦方向Ｘの最内方且つ横方向Ｙの最外方に位置する部分である。つまり、腹側フラップ固定点１１αは、固定部１１の股下部１Ｍ側の縦方向端における横方向Ｙの最外方に位置する点である。尚、図６に示す形態における固定部１１は、腹側フラップ１０における吸収性本体５との重なり部分全体であるため、その腹側フラップ固定点１１αは、吸収性本体５の縦方向Ｘに沿う側縁部５Ｓ上に位置しているが、例えば図７に示すように、固定部１１が側縁部５Ｓよりも横方向Ｙの内方に存する場合は、その腹側フラップ固定点１１αは側縁部５Ｓよりも横方向Ｙの内方に位置することになる。
【００３０】
また、「吸収性本体５の中心点５ＣＰ」は、吸収性本体５を横方向Ｙに二分して縦方向Ｘに延びる縦中心線ＣＬｘと、吸収性本体５を縦方向Ｘに二分して横方向Ｙに延びる横中心線ＣＬｙとの交点である。
また、「凸部１２の中心点１２ＣＰ」は、中心点５ＣＰと同じ考え方に基づいて規定されるものであり、即ち、凸部１２を横方向Ｙに二分して縦方向Ｘに延びる縦中心線（図示せず）と、凸部１２を縦方向Ｘに二分して横方向Ｙに延びる横中心線（図示せず）との交点である。
また、「吸収性本体５の展開状態」は、吸収性本体５が具備する弾性部材（弾性部材５２，５３等）を伸長させて該吸収性本体５を平面状に拡げた状態を意味する。
【００３１】
前記（１）の「仮想直線ＶＬの近傍で且つ仮想直線ＶＬよりも縦方向Ｘの内方」とは、図６に示す如き吸収性本体５（おむつ１）の展開状態において、仮想直線ＶＬから縦方向Ｘの内方（即ち横中心線ＣＬｙ側）に、吸収性本体５の縦方向Ｘの全長の２％以内を意味し、１％以内の領域内に腹側フラップ固定点１１αが位置していることが好ましい。
【００３２】
前記（２）の「仮想直線ＶＬの近傍」とは、図６に示す如き吸収性本体５（おむつ１）の展開状態において、仮想直線ＶＬから縦方向Ｘの一方側及び他方側それぞれに、吸収性本体５の縦方向Ｘの全長の５％以内を意味し、３％以内の領域内に中間幅部４０Ｍの側縁部４０ＭＳが位置していることが好ましい。
【００３３】
また、前記（２）の「仮想直線ＶＬに沿って」とは、図６に示す如き吸収性本体５（おむつ１）の展開状態において、中間幅部４０Ｍの側縁部４０ＭＳが仮想直線ＶＬと略平行であることを意味し、より具体的には、仮想直線ＶＬの縦方向Ｘ又は横方向Ｙに対する傾斜角度を基準として、その基準と側縁部４０ＭＳの同傾斜角度との差の絶対値が、５°以内であることを意味し、３°以内であることが好ましい。
尚、おむつ１における中間幅部４０Ｍの側縁部４０ＭＳは、図６に示すように、平面視において直線であるが、本発明には、側縁部４０ＭＳが平面視において曲線のものも含まれる。側縁部４０ＭＳが平面視曲線の場合は、その曲線の側縁部４０ＭＳの「接線」について、前記（２）が満たされていれば良い。
【００３４】
前記（３）の「弾性部材５３の腹側縦方向端５３Ｆ」は、弾性部材５３における伸縮性を有する部分の腹側縦方向端を意味し、弾性部材５３の長さ方向腹側端とは必ずしも一致しない。即ち、「弾性部材５３における伸縮性を有する部分」は、サイドフラップ部５０に伸長状態で固定された部分であるところ、例えば、弾性部材５３の長さ方向の腹側端部（即ち長さ方向の腹側端及びその近傍）がサイドフラップ部５０に固定されていない場合、その長さ方向の腹側端部は伸縮性を有していないので、「弾性部材５３の腹側縦方向端５３Ｆ」ではない。
【００３５】
また、前記（３）の「仮想直線ＶＬの近傍」とは、図６に示す如き吸収性本体５（おむつ１）の展開状態において、仮想直線ＶＬから縦方向Ｘの一方側及び他方側それぞれに、吸収性本体５の縦方向Ｘの全長の２％以内の領域を意味し、１％以内の領域内にレッグギャザー形成用弾性部材５３の腹側縦方向端５３Ｆが位置していることが好ましい。
【００３６】
おむつ１は、前記（１）〜（３）の全てを満たしているため、着用状態の手直しが不要で、簡単な装着操作で着用者の股間部にフィットし、高い漏れ防止効果を奏し得る。前記（１）〜（３）に登場する仮想直線ＶＬは、おむつ１の如き、「腹側部の両側縁部に一対の腹側フラップが取り付けられた展開型使い捨ておむつ」の、前述した典型的な装着操作において、腹側フラップ１０を引っ張った際の力線に略一致する。
【００３７】
特に、前記（１）を満たすおむつ１においては、図６に示すように、腹側フラップ固定点１１αが、仮想直線ＶＬ上、又は仮想直線ＶＬの近傍で且つ仮想直線ＶＬよりも縦方向Ｘの内方に位置しているため、おむつ１の装着過程で腹側フラップ１０の凸部１２を手指で把持して引っ張ったときに、腹側フラップ１０及びその近傍の部材が変形し難く、意図しない皺や折れが発生し難い。これに対し、例えば図８（ａ）に示すように、腹側フラップ固定点１１αが仮想直線ＶＬよりも縦方向Ｘの外方（即ち吸収性本体５の腹側縦方向端５Ｆ寄り）に位置していると、その腹側フラップ１０の凸部１２を手指で把持して、図８（ａ）中矢印で示す方向に引っ張った場合に、図８（ｂ）に示すように、吸収性本体５の中心点５ＣＰ、腹側フラップ固定点１１α及び凸部１２の中心点１２ＣＰそれぞれが、その引っ張りに起因する力線即ち仮想直線ＶＬ上に位置するように、腹側フラップ１０及びその近傍の部材が変形する。その結果、例えば、吸収性本体５の腹側縦方向端５Ｆにおける腹側フラップ１０の近傍に、意図しない皺や折れ等の凹凸部Ｚが生じる。斯かる凹凸部Ｚは、おむつ１の着用状態において、着用者の身体に対するおむつ１のフィット性を低下させ、漏れを誘発する原因となり得る。
【００３８】
また、前記（２）及び（３）を満たすおむつ１は、その装着過程において、着用者の股間部より下方に位置するおむつ１における腹側フラップ１０の凸部１２を手指で把持して該股間部側に引き上げた場合に、その引き上げ最中に自然に、着用者の身体に沿うような形状をとることができるため、前記（１）を満たすことによる効果と相俟って、着用状態の手直しが不要で、簡単な装着操作で着用者の股間部にフィットし得る。
【００３９】
特に、前記（２）を満たすことにより、図６に示すように、吸収性コア４０の中間幅部４０Ｍの側縁部４０ＭＳ（仮想直線ＶＬ）を境界として、側縁部４０ＭＳよりも縦方向Ｘの外方側（吸収性本体５の腹側縦方向端５Ｆ側）が、吸収性コア４０や被止着領域９等の比較的剛性の高い部材の占める割合が高い「高剛性領域１３」、側縁部４０ＭＳよりも縦方向Ｘの内方側（横中心線ＣＬｙ側）が、そのような剛性の高い部材の存在しない部位の占める割合が高い「低剛性領域１４」となり、実質的に、仮想直線ＶＬを挟んで縦方向Ｘの外方側に高剛性領域１３、内方側に低剛性領域１４が存することになる。
【００４０】
そして、高剛性領域１３は、その剛性の高さに起因して皺や折れ等が発生し難いため、これに含まれる被止着領域９も同様の特性を有する。従って、おむつ１の装着過程において、ファスニングテープ７の止着対象である被止着領域９に皺や浮き等が発生し難く、そのため、ファスニングテープ７の止着部７２を被止着領域９にスムーズに止着させることができ、装着操作で煩わしさを感じることなく、おむつ１を簡便に装着することができる。また、着用者による尿等の排泄液を最も受けやすい部位である前記排泄部対向部も、皺や折れが発生し難い高剛性領域１３に含まれているため、おむつ１によれば、前記排泄部対向部に皺や折れが発生することに起因する吸収性能の低下が効果的に防止され、高い吸収性能が得られる。
【００４１】
また、低剛性領域１４にはレッグギャザー形成用弾性部材５３が含まれるところ、前記（３）を満たすことによって、その腹側縦方向端５３Ｆが仮想直線ＶＬ即ち「腹側フラップ１０を引っ張ったときの力線」の近傍に位置しているため、おむつ１の装着操作において腹側フラップ１０を引っ張ったときに、レッグギャザーが連動して着用者の脚周りの鼠蹊部に自然に配される。その結果、おむつ１の着用状態においては、股下部１Ｍにおける一対のレッグギャザーが着用者の股間部に向かって起立し、その起立したレッグギャザーの先端部（弾性部材５３の配置部位）が着用者の鼠蹊部に沿ってフィットするため、漏れが起こり難い状態となる。従って、おむつ１を常法に従って装着した後は、着用状態の手直しは不要である。
【００４２】
仮に、中間幅部４０Ｍの側縁部４０ＭＳと仮想直線ＶＬとが交差することによって、前記（２）を満たさない場合には、高剛性領域１３が、仮想直線ＶＬ即ち「腹側フラップ１０を引っ張ったときの力線」を跨いで存在するため、ファスニングテープ７を引っ張る操作が阻害されるおそれがある。
また、中間幅部４０Ｍの側縁部４０ＭＳが仮想直線ＶＬの近傍に位置しておらずに、仮想直線ＶＬから縦方向Ｘの内方側（横中心線ＣＬｙ側）に遠く離れている場合には、ファスニングテープ７を引っ張る操作が阻害されることに加えてさらに、レッグギャザー形成用弾性部材５３の収縮が阻害されるおそれがある。
また、中間幅部４０Ｍの側縁部４０ＭＳが仮想直線ＶＬの近傍に位置しておらずに、仮想直線ＶＬから縦方向Ｘの外方側（吸収性本体５の腹側縦方向端５Ｆ側）に遠く離れている場合には、前記排泄部対向部や被止着領域９に皺や折れが発生するおそれがある。
【００４３】
前記（１）〜（３）を満たすことに起因する作用効果をより確実に奏させるようにする観点から、腹側部１Ｆにおける吸収性本体５の非肌対向面（裏面シート３）に固定された被止着領域９は、図１及び図６に示す如き平面視において、吸収性コア４０の幅広部４０Ｗと重複するように固定され、且つ幅広部４０Ｗにおける被止着領域９との重複部位の横方向長さＷ１（図１参照）が、被止着領域９の横方向長さ（即ち幅）の８０％よりも長いことが好ましく、特に被止着領域９の幅に対して８０〜１２０％の範囲にあることが好ましい。横方向長さＷ１は、前記重複部位における最大長さ（即ち最大幅）を意味する。斯かる構成により、特に前記（２）及び（３）による作用効果がより確実に奏されるようになり、おむつ１の着用状態において被止着領域９が着用者の身体に一層沿いやすくなる。
【００４４】
また、吸収性コア４０の幅狭部４０Ｎの横方向長さ（即ち幅）は、吸収性本体５の横方向長さ（即ち幅）に対して、好ましくは２５％以上、さらに好ましくは３０％以上、そして、好ましくは５０％以下、さらに好ましくは４５％以下、より具体的には、好ましくは２５％以上５０％以下、さらに好ましくは３０％以上４５％以下である。斯かる割合が低すぎる、即ち幅狭部４０Ｎが吸収性コア４０に対して細すぎると、おむつ１の使用者に対して吸収性能に関する不安を与えるおそれがあり、逆に斯かる割合が高すぎる、即ち幅狭部４０Ｎが吸収性コア４０に対して太すぎると、前記（３）による作用効果が阻害されるおそれがある。
【００４５】
また、腹側フラップ１０の凸部１２の横方向長さＷ２（図１参照）は、好ましくは１０ｍｍ以上、さらに好ましくは１２ｍｍ以上、そして、好ましくは２０ｍｍ以下、さらに好ましくは１８ｍｍ以下、より具体的には、好ましくは１０ｍｍ以上２０ｍｍ以下、さらに好ましくは１２ｍｍ以上１８ｍｍ以下である。前記（１）〜（３）による作用効果が確実に奏されるようにするためには、腹側フラップ１０を引っ張る際に凸部１２が把持されることが必要であり、そのためには、凸部１２が把持部として機能する部位であることを、おむつ１の使用者に暗示させることが有効である。斯かる観点から、凸部１２の横方向長さＷ２を通常のヒトの親指と同程度の長さとするべく設定されたのが前記範囲である。
【００４６】
また、特に前記（２）及び（３）による作用効果がより確実に奏されるようにするためには、吸収性コア４０がある程度剛性の高いものであることが好ましく、斯かる観点から、吸収性コア４０はパルプを含んで構成されることが好ましい。パルプとしては、この種の吸収性コアに通常用いられるものを特に制限なく用いることができ、例えばＮＢＫＰ、ＬＢＫＰ等の木材パルプ；綿、麻等の非木材パルプ等が挙げられる。また、吸収性コア４０の坪量は、好ましくは２５０ｇ／ｍ2以上、さらに好ましくは３５０ｇ／ｍ2以上、そして、好ましくは６００ｇ／ｍ2以下、さらに好ましくは５００ｇ／ｍ2以下、より具体的には、好ましくは２５０ｇ／ｍ2以上６００ｇ／ｍ2以下、さらに好ましくは３５０ｇ／ｍ2以上５００ｇ／ｍ2以下である。吸収性コア４０におけるパルプの坪量が多すぎると、吸収性コア４０の剛性が高くなりすぎて、着用者に違和感を与えたり着用者の動きを妨げるおそれがある。
【００４７】
以上、本発明について説明したが、本発明は、前述した実施形態に制限されず適宜変更可能である。
例えば、前記実施形態のおむつ１では、腹側フラップ１０の凸部１２の平面視形状は等脚台形形状であったが、本発明においては腹側フラップの平面視形状は特に制限されず、例えば、長方形形状等でも良い。
また、本発明の吸収性物品は、前記実施形態の如き展開型の使い捨ておむつに制限されず、人体から排出される体液（尿、経血、軟便、汗等）の吸収に用いられる物品（展開型着用物品）を広く包含し、例えば、おむつカバー、パッドホルダー等も包含される。
前述した本発明の実施形態に関し、更に以下の付記を開示する。
【００４８】
＜１＞
着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有し、
吸収性コアを含んで構成され、平面視において縦方向に長い長方形形状の吸収性本体を具備し、前記背側部における該吸収性本体の縦方向に沿う両側縁部に一対の止着用部材が固定され、且つ前記腹側部における該吸収性本体の縦方向に沿う両側縁部に、一対の腹側フラップが該両側縁部から横方向外方に延出するように固定された吸収性物品であって、
前記吸収性本体は、前記腹側部から前記背側部にわたって、前記吸収性コアの縦方向に沿う両側縁それぞれから横方向外方に延出する一対のサイドフラップ部を有し、一対の該サイドフラップ部それぞれに、レッグギャザー形成用弾性部材が、前記股下部を通って縦方向に延びるように伸長状態で配されており、
前記吸収性コアは、横方向長さが相対的に長い幅広部と、横方向長さが相対的に短い幅狭部と、該幅広部と該幅狭部との間に位置する中間幅部とを縦方向に有し、該幅広部の少なくとも一部が前記腹側部に位置し、該幅狭部の少なくとも一部が前記股下部に位置しており、該中間幅部の両側縁部が平面視において斜行しており、
一対の前記腹側フラップは、それぞれ、前記吸収性本体の側縁部からの延出部における縦方向に沿う側縁の一部が横方向外方に突出してなる、凸部を有し、
前記吸収性本体を平面状に拡げて展開状態とした場合において、
前記腹側フラップの前記吸収性本体との固定部における縦方向最内方且つ横方向最外方に位置する部分を、腹側フラップ固定点とし、前記吸収性本体の中心点及び前記凸部の中心点を通る仮想直線を引いた場合に、下記（１）〜（３）の全てを満たす吸収性物品。
（１）前記腹側フラップ固定点は、前記仮想直線上、又は前記仮想直線の近傍で且つ該仮想直線よりも縦方向内方に位置している。
（２）前記中間幅部の前記側縁部は、前記仮想直線の近傍に位置し、且つ該仮想直線に沿って斜行している。
（３）前記レッグギャザー形成用弾性部材の腹側縦方向端は、前記仮想直線の近傍に位置している。
【００４９】
＜２＞
前記腹側部の非肌対向面に、前記止着用部材が止着される被止着領域が、平面視において前記吸収性コアの前記幅広部と重複するように配されており、
前記幅広部における前記被止着領域との重複部位の横方向長さは、該被止着領域の横方向長さの８０％よりも長く、好ましくは、該被止着領域の横方向長さに対して８０〜１２０％の範囲にある前記＜１＞に記載の吸収性物品。
＜３＞
前記吸収性コアの前記幅狭部の横方向長さは、前記吸収性本体の横方向長さの２５％以上５０％以下である前記＜１＞又は＜２＞に記載の吸収性物品。
＜４＞
前記腹側フラップの前記凸部の横方向長さは１０ｍｍ以上２０ｍｍ以下である前記＜１＞〜＜３＞の何れか一項に記載の吸収性物品。
＜５＞
前記吸収性コアはパルプを含んで構成され、該吸収性コアの坪量が、好ましくは２５０ｇ／ｍ2以上、さらに好ましくは３５０ｇ／ｍ2以上、そして、好ましくは６００ｇ／ｍ2以下、さらに好ましくは５００ｇ／ｍ2以下である前記＜１＞〜＜４＞の何れか一項に記載の吸収性物品。
【００５０】
＜６＞
前記凸部は、平面視において等脚台形形状をなし、横方向外方に向かうに従って横方向長さが漸次減少している前記＜１＞〜＜５＞の何れか一項に記載の吸収性物品。
＜７＞
前記（１）の、前記仮想直線の近傍で且つ該仮想直線よりも縦方向内方は、前記吸収性本体の展開状態において、該仮想直線から縦方向内方に該吸収性本体の縦方向の全長の２％以内であり、好ましくは、１％以内の領域内に前記腹側フラップ固定点が位置している前記＜１＞〜＜６＞の何れか一項に記載の吸収性物品。
＜８＞
前記（２）の、前記仮想直線の近傍は、前記吸収性本体の展開状態において、該仮想直線から縦方向の一方側及び他方側それぞれに該吸収性本体の縦方向の全長の５％以内であり、好ましくは、３％以内の領域内に前記中間幅部の前記側縁部が位置している前記＜１＞〜＜７＞の何れか一項に記載の吸収性物品。
＜９＞
前記（２）の、該仮想直線に沿っては、前記吸収性本体の展開状態において、該仮想直線の縦方向又は横方向に対する傾斜角度を基準として、その基準と前記中間幅部の前記側縁部の同傾斜角度との差の絶対値が５°以内であり、好ましくは３°以内である前記＜１＞〜＜８＞の何れか一項に記載の吸収性物品。
＜１０＞
前記（３）の、前記仮想直線の近傍は、前記吸収性本体５の展開状態において、該仮想直線から縦方向の一方側及び他方側それぞれに該吸収性本体の縦方向の全長の２％以内であり、好ましくは、１％以内の領域内に前記レッグギャザー形成用弾性部材の腹側縦方向端が位置している前記＜１＞〜＜９＞の何れか一項に記載の吸収性物品。
【００５１】
＜１１＞
前記仮想直線を挟んで縦方向の外方側に高剛性領域、内方側に低剛性領域が存する前記＜１＞〜＜１０＞の何れか一項に記載の吸収性物品。
＜１２＞
前記吸収性コアの前記幅狭部の横方向長さは、前記吸収性本体の横方向長さに対して、好ましくは２５％以上、さらに好ましくは３０％以上、そして、好ましくは５０％以下、さらに好ましくは４５％以下である前記＜１＞〜＜１１＞の何れか一項に記載の吸収性物品。
＜１３＞
前記凸部の横方向長さは、好ましくは１０ｍｍ以上、さらに好ましくは１２ｍｍ以上、そして、好ましくは２０ｍｍ以下、さらに好ましくは１８ｍｍ以下である前記＜１＞〜＜１２＞の何れか一項に記載の吸収性物品。
＜１４＞
前記吸収性コアは単層構造である前記＜１＞〜＜１３＞の何れか一項に記載の吸収性物品。
＜１５＞
前記中間幅部は、前記幅広部及び前記幅狭部の一方に位置しているか、両方に跨って位置している前記＜１＞〜＜１４＞の何れか一項に記載の吸収性物品。
【００５２】
＜１６＞
前記吸収性コアは、その肌対向面が肌側コアラップシートで被覆されていると共に、非肌対向面が非肌側コアラップシートで被覆されており、
前記非肌側コアラップシートは、前記吸収性コアの非肌対向面の全域を被覆し、且つ該吸収性コアの縦方向に沿う両側縁から横方向外方に延出し、その延出部が、該吸収性コアの肌対向面に対向配置された前記肌側コアラップシート上に巻き上げられ、該肌側コアラップシートの縦方向に沿う両側縁部を被覆している前記＜１＞〜＜１５＞の何れか一項に記載の吸収性物品。
＜１７＞
前記吸収性本体の肌対向面側における縦方向に沿う左右両側それぞれにサイドシートが配されており、
前記サイドシートは、縦方向に沿う内側縁部と、該内側縁部よりも横方向外方に位置して縦方向に沿う外側縁部とを有し、該外側縁部は、前記吸収性コア（前記吸収性コアと該吸収性コアを被覆するコアラップシートとを含んで構成される吸収体）の縦方向に沿う側縁から横方向外方に延出し、前記吸収性本体の非肌対向面を形成する裏面シートと接合されている前記＜１＞〜＜１６＞の何れか一項に記載の吸収性物品。
＜１８＞
前記一対の止着用部材は、それぞれ、前記吸収性本体の縦方向に沿う側縁部から横方向外方に延出するように該吸収性本体に固定された伸縮性のサイドパネルと、該サイドパネルの延出方向の先端部から横方向外方に延出するように該サイドパネルに固定されたファスニングテープとを含んで構成されている前記＜１＞〜＜１７＞の何れか一項に記載の吸収性物品。
＜１９＞
前記止着用部材は、前記吸収性本体とは別部材である前記＜１８＞に記載の吸収性物品。
＜２０＞
前記サイドパネルは、平面視して四角形形状の２枚のパネル材と、両パネル材間に伸長状態で固定され且つ横方向に延びる複数本の弾性部材とを含んで構成されている前記＜１８＞又は＜１９＞に記載の吸収性物品。
【符号の説明】
【００５３】
１  使い捨ておむつ（吸収性物品）
１Ｆ  吸収性物品の腹側部
１Ｍ  吸収性物品の股下部
１Ｒ  吸収性物品の背側部
２  表面シート
３  裏面シート
４  吸収体
４０  吸収性コア
４０Ｗ  幅広部
４０Ｎ  幅狭部
４０Ｍ  中間幅部
４０ＭＳ  中間幅部の側縁部
４１，４２  コアラップシート
５  吸収性本体
５ＣＰ  吸収性本体の中心点
５０  サイドフラップ部
５１  サイドシート
５２  立体ギャザー形成用弾性部材
５３  レッグギャザー形成用弾性部材
５３Ｆ  レッグギャザー形成用弾性部材の腹側縦方向端
６  サイドパネル
７  ファスニングテープ
８  止着用部材
９  被止着領域
１０  腹側フラップ
１１  腹側フラップの吸収性本体との固定部
１１α  腹側フラップ固定点
１２  凸部
１２ＣＰ  凸部の中心点
１３  高剛性領域
１４  低剛性領域
ＶＬ  仮想直線
Ｘ  縦方向
Ｙ  横方向
【図１】
2017051280.tif 000003
【図２】
2017051280.tif 000004
【図３】
2017051280.tif 000005
【図４】
2017051280.tif 000006
【図５】
2017051280.tif 000007
【図６】
2017051280.tif 000008
【図７】
2017051280.tif 000009
【図８】
2017051280.tif 000010